(57)【要約】【課題】内容物へのアクセスの向上と小売りにおける陳列とに適したコンタクトレンズ容器を提供する。【解決手段】本コンタクトレンズ容器（１０）には、互いに取り外し可能に付着した一対のシェル部材（１２，１４）が含まれる。シェル部材の間にあるスポンジ部材（１８）には、コンタクトレンズ（７６）を収納するための凹部（７２）とコンタクトレンズ溶液とがある。第一のシェル部材と第二のシェル部材とのそれぞれの一端には、シェル部材が互いに付着しているときには互いに隣り合って並ぶタブ（２２，２６）がある。このタブを引き離し、シェル部材を引き離すことにより容器を開け、コンタクトレンズ（７６）へのアクセスを可能にする。タブは、容器を一端から懸吊するための整列した開口（３８，４４）を有する。容器の他端には容器を自立させるためのガセットがある。シェル部材の一方には、コンタクトレンズを目視するための窓（３６）がある。【選択図】図１
2008513107.tif 000002
【特許請求の範囲】
【請求項１】
コンタクトレンズ容器において、
第一の端部、および第二の端部を有する、第一のシェル部材と、
第一の端部、および第二の端部を有する、第二のシェル部材であって、
前記第一のシェル部材と前記第二のシェル部材との前記第一の端部が、互いに隣り合って並び、かつ、前記第一のシェル部材と前記第二のシェル部材との前記第二の端部が、互いに隣り合って並ぶように、前記第一のシェル部材と前記第二のシェル部材とは、互いに取り外し可能に付着しており、
前記第一のシェル部材と前記第二のシェル部材との前記第一の端部が、前記容器が自立した位置になることを可能とするサイズおよび形状になっている、ガセットを形成している、
第二のシェル部材と、
前記第一のシェル部材と前記第二のシェル部材との間にあり、コンタクトレンズ、および、ある量のコンタクトレンズ溶液を受け入れ収納するように形成された、貯蔵部と、
を備えている、コンタクトレンズ容器。
【請求項２】
請求項１に記載のコンタクトレンズ容器において、
前記第一および第二のシェル部材を互いから引き離すための引き離し手段、
をさらに備える、コンタクトレンズ容器。
【請求項３】
請求項２に記載のコンタクトレンズ容器において、
前記引き離し手段は、
前記第一のシェル部材の前記第二の端部から延びている、第一のタブ、および、
前記第二のシェル部材の前記第二の端部から延びている、第二のタブ、
を備え、
前記第一および第二のタブが、互いに隣り合って並んでいる、コンタクトレンズ容器。
【請求項４】
請求項３に記載のコンタクトレンズ容器において、
前記第一のタブの露出面から突き出た、第一の複数個の隆起、および、
前記第二のタブの露出面から突き出た、第二の複数個の隆起、
をさらに備え、
前記第一および第二の複数個の隆起が、隣り合って並んだ前記タブを手で把持することを可能とするサイズおよび形状になっている、コンタクトレンズ容器。
【請求項５】
請求項１に記載のコンタクトレンズ容器において、
陳列棚から前記容器を懸吊するための懸吊手段、
をさらに備える、コンタクトレンズ容器。
【請求項６】
請求項３に記載のコンタクトレンズ容器において、
懸吊手段であって、
前記第一のタブを通して形成された、第一の開口、および、
前記第二のタブを通して形成され、前記第一の開口と整列した、第二の開口、
を備え、
各前記開口は、陳列棚の掛け釘上に嵌められる、サイズおよび形状になっている、
懸吊手段、
をさらに備える、コンタクトレンズ容器。
【請求項７】
請求項６に記載のコンタクトレンズ容器において、
前記貯蔵部は、内部表面、および前記内部表面に形成された凹部、を備え、
前記凹部は、コンタクトレンズ、および、ある量のコンタクトレンズ溶液を収納し受け入れるサイズおよび形状になっている、コンタクトレンズ容器。
【請求項８】
請求項７に記載のコンタクトレンズ容器において、
前記貯蔵部の前記凹部中に収納されたコンタクトレンズを見るための観察手段、
をさらに備える、コンタクトレンズ容器。
【請求項９】
請求項７に記載のコンタクトレンズ容器において、
前記貯蔵部中に収納された、スポンジ部材、
をさらに備える、コンタクトレンズ容器。
【請求項１０】
請求項９に記載のコンタクトレンズ容器において、
前記スポンジ部材は、コンタクトレンズ、および、ある量のコンタクトレンズ溶液を収納し受け入れるように形作られている、コンタクトレンズ容器。
【請求項１１】
請求項９に記載のコンタクトレンズ容器において、
前記スポンジ部材は、
コンタクトレンズを飽和させるのに十分な量のコンタクトレンズ溶液、および、
コンタクトレンズを受け入れるように形作られた、凹部、
を含む、コンタクトレンズ容器。
【請求項１２】
請求項１１に記載のコンタクトレンズ容器において、
前記スポンジ部材の前記凹部に収納されたコンタクトレンズを見るための観察手段、
をさらに備える、コンタクトレンズ容器。
【請求項１３】
請求項１２に記載のコンタクトレンズ容器において、
前記観察手段は、前記第二のシェル部材の露出面に形成された、窓、を備え、
前記窓は、前記コンタクトレンズを視覚的に露出できるサイズ、形状、および位置になっている、コンタクトレンズ容器。
【請求項１４】
コンタクトレンズ容器において、
第一の端部、および前記第一の端部の反対側にある第二の端部、を有する、第一のシェル部材と、
第一の端部、および第二の端部を有する、第二のシェル部材であって、
前記第一のシェル部材と前記第二のシェル部材とは、互いに取り外し可能に付着しており、
前記第一のシェル部材と前記第二のシェル部材との前記第一の端部が、互いに隣り合って並び、
前記第一のシェル部材と前記第二のシェル部材との前記第二の端部が、互いに隣り合って並んでいる、
第二のシェル部材と、
陳列棚から前記容器を懸吊するための懸吊手段と、
前記第一のシェル部材と前記第二のシェル部材との間にあり、コンタクトレンズ、および、ある量のコンタクトレンズ溶液を受け入れ収納するように形成された、貯蔵部と、
を備える、コンタクトレンズ容器。
【請求項１５】
請求項１４に記載のコンタクトレンズ容器において、
付着した前記第一および第二のシェル部材を互いから引き離すための引き離し手段、
をさらに備える、コンタクトレンズ容器。
【請求項１６】
請求項１５に記載のコンタクトレンズ容器において、
前記引き離し手段は、
前記第一のシェル部材の前記第二の端部から延びている、第一のタブ、および、
前記第二のシェル部材の前記第二の端部から延びている、第二のタブ、
を備え、
前記第一および第二のタブが、互いに隣り合って並んでいる、コンタクトレンズ容器。
【請求項１７】
請求項１６に記載のコンタクトレンズ容器において、
前記第一のタブの露出面から突き出た、第一の複数個の隆起、および、
前記第二のタブの露出面から突き出た、第二の複数個の隆起、
をさらに備え、
前記第一および第二の複数個の隆起が、隣り合って並んだ前記タブを手で把持することを可能とするサイズおよび形状になっている、コンタクトレンズ容器。
【請求項１８】
請求項１６に記載のコンタクトレンズ容器において、
前記懸吊手段は、
前記第一のタブを通して形成された、第一の開口、および、
前記第二のタブを通して形成され、前記第一の開口と整列した、第二の開口、
を備え、
各前記第一および第二の開口は、陳列棚の掛け釘上に嵌められる、サイズおよび形状になっている、コンタクトレンズ容器。
【請求項１９】
請求項１８に記載のコンタクトレンズ容器において、
前記貯蔵部は、内部表面、および前記内部表面に形成された凹部、を備え、
前記凹部は、コンタクトレンズ、および、ある量のコンタクトレンズ溶液を収納し受け入れるサイズおよび形状になっている、コンタクトレンズ容器。
【請求項２０】
請求項１９に記載のコンタクトレンズ容器において、
前記貯蔵部の前記凹部中に収納されたコンタクトレンズを見るための観察手段、
をさらに備える、コンタクトレンズ容器。
【請求項２１】
請求項２０に記載のコンタクトレンズ容器において、
前記貯蔵部中に収納された、スポンジ部材、
をさらに備え、
前記スポンジ部材は、コンタクトレンズ、および、コンタクトレンズを飽和させるのに十分な量のコンタクトレンズ溶液、を受け入れるよう形作られている、コンタクトレンズ容器。
【請求項２２】
請求項２１に記載のコンタクトレンズ容器において、
観察手段、
をさらに備える、コンタクトレンズ容器。
【請求項２３】
請求項２２に記載のコンタクトレンズ容器において、
前記観察手段は、前記第二のシェル部材の露出面に形成された、窓、を備え、
前記窓は、前記コンタクトレンズを視覚的に露出できるサイズ、形状、および位置になっている、コンタクトレンズ容器。
【請求項２４】
コンタクトレンズ容器において、
第一の端部、および第二の端部を有する、第一のシェル部材と、
第一の端部、および第二の端部を有する、第二のシェル部材であって、
前記第一のシェル部材と前記第二のシェル部材との前記第一の端部が、互いに隣り合って並び、かつ、前記第一のシェル部材と前記第二のシェル部材との前記第二の端部が、互いに隣り合って並ぶように、前記第一のシェル部材と前記第二のシェル部材とは、互いに取り外し可能に付着しており、
前記第一のシェル部材と前記第二のシェル部材との前記第一の端部が、前記容器が自立した位置になることを可能とするサイズおよび形状になっている、ガセット、を形成している、
第二のシェル部材と、
前記第一のシェル部材と前記第二のシェル部材との間にあり、コンタクトレンズ、および、ある量のコンタクトレンズ溶液を受け入れ収納するように形成された、貯蔵部と、
前記貯蔵部に収納された前記コンタクトレンズを見るための観察手段と、
を備える、コンタクトレンズ容器。
【発明の詳細な説明】
【開示の内容】
【０００１】
〔発明の分野〕
本発明はコンタクトレンズ容器に関するものであり、より詳細には、その内容物へのアクセスの向上と小売りにおける陳列とに適したコンタクトレンズ容器に関する。
【０００２】
〔発明の背景〕
コンタクトレンズ、特に使い捨てコンタクトレンズは、従来は、「ブリスターパック」で包装されていた。一般に、ブリスターパックは、硬質プラスチック（例えばポリプロピレン）の、コンタクトレンズを受け入れるための凹形状の貯蔵部と、典型的にはラミネート材（例えば金属箔）から造られた柔軟なカバーとを含み、このカバーはレンズを内部に収納するための貯蔵部に、取り外し可能に付着している。それぞれのブリスターパック中には、一つのコンタクトレンズと、コンタクトレンズの乾燥を防ぎ、コンタクトレンズをすぐに利用できるように保つのに十分な量のコンタクトレンズ溶液がある。
【０００３】
従来のブリスターパックは、また、従来の陳列装置（例えば掛け釘−フック−タイプまたはワイヤ−フック−タイプの陳列）に陳列されるようには形成されていない。同様に、単一コンタクトレンズ用のブリスターパックは、小売棚に陳列されるのには適切でない。従って、従来の陳列装置の上での陳列に適合するように形成されたコンタクトレンズ容器へのニーズがある。
【０００４】
本発明のより完全な理解のために、以下の例示的な実施形態の詳細な説明を、添付の図面と関連づけて参照する。
【０００５】
〔発明の詳細な説明〕
本発明には、コンタクトレンズ容器(contact lens package)が含まれ、このコンタクトレンズ容器は、
第一の端部と第二の端部とを有する第一のシェル部材と、
第一の端部と第二の端部とを有する第二のシェル部材であって、当該第一のシェル部材と第二のシェル部材との当該第一の端部が互いに隣り合って並び、かつ、当該第一のシェル部材と第二のシェル部材との当該第二の端部が互いに隣り合って並ぶように、当該第一のシェル部材と第二のシェル部材とは互いに取り外し可能に付着しており、当該第一のシェル部材と第二のシェル部材との当該第一の端部が、当該コンタクトレンズ容器が自立した位置(standing position)になることを可能とするサイズと形状とになっているガセット(gusset)を形成している、第二のシェル部材と、
当該第一のシェル部材と第二のシェル部材との間にあり、コンタクトレンズとある量のコンタクトレンズ溶液とを受け入れ収納するように形成された貯蔵部と、
を備えるか、本質的にこれらからなるか、またはこれらのみからなる。
【０００６】
さらに、本発明には、コンタクトレンズ容器が含まれ、このコンタクトレンズ容器は、
第一の端部と、当該第一の端部の反対側にある第二の端部とを有する第一のシェル部材と、
第一の端部と第二の端部とを有する第二のシェル部材であって、当該第一のシェル部材と第二のシェル部材とは互いに取り外し可能に付着しており、当該第一のシェル部材と第二のシェル部材との当該第一の端部が互いに隣り合って並び、当該第一のシェル部材と第二のシェル部材との当該第二の端部が互いに隣り合って並んでいる、第二のシェル部材と、
陳列棚から当該容器を懸吊するための懸吊手段と、
当該第一のシェル部材と第二のシェル部材との間にあり、コンタクトレンズとある量のコンタクトレンズ溶液とを受け入れ収納するよう形成された貯蔵部と、
を備える。
【０００７】
本発明により、互いに取り外し可能に付着している第一のシェル部材と第二のシェル部材とを含む新規で改良されたコンタクトレンズ容器を提供することによって、上記で説明した先行技術の不利な点および欠点が克服される。このようなシェル部材のそれぞれは、第一の端部および第二の端部を有する。単一のシェル部材の第一および第二の端部のそれぞれは、シェル部材の互いに反対にある側に置くことが好ましいが、そのシェル部材上の他の場所に置くこともできる。一実施形態では、第一のシェル部材と第二のシェル部材との第一の端部が、たとえば陳列棚で容器が自立した位置になるサイズと形状とになっているガセットを形成する。シェル部材の一つ（例えば第二のシェル部材）には、容器を開ける前に、使用者が、コンタクトレンズを視覚的に検査（例えば損傷の検査）できるようにコンタクトレンズを視覚的に露出するための窓が含まれている。溶液を保持するスポンジ部材は、コンタクトレンズを収納するための第一のシェル部材と第二のシェル部材との間に挿入されることが好ましい。スポンジ部材は、コンタクトレンズを飽和された状態に保ち、それによって、コンタクトレンズがその意図された形状と柔軟さとを維持できるようにするのに十分な量のコンタクトレンズ溶液を保持する。溶液量は、約５００μＬから約１，５００μＬまでの間にあり、より好ましくは、約９００μＬから１，０００μＬまでの間にある。好ましいコンタクトレンズ溶液は、食塩水または包装溶液であるが、本発明には、眼用薬剤含有溶液等のその他の溶液も考えられる。スポンジ部材は、コンタクトレンズを収納するための凹部を含むことが好ましい。
【０００８】
本発明の他の一態様によれば、第一および第二のシェル部材のそれぞれの、ガセットのある端部の反対側にある一端には、プルタブが含まれる。これらのタブは、第一および第二のシェル部材が互いに付着させられているときに、互いに隣り合って並ぶ。本容器は、この隣り合って並んだタブを引き離し、第一および第二のシェル部材を互いから引き離すことによって開けられ、これによりコンタクトレンズへのアクセスが可能になる。複数の隆起が、それぞれのタブの露出面から突き出ており、これらの隆起は、タブを引き離すときにユーザーがタブをよりしっかりと把持することを可能とするサイズと形状と位置とを有する。これらのタブは、容器を小売陳列棚の掛け釘フックまたはワイヤフックに懸吊するために整列した開口を有する。
【０００９】
具体的には、本発明は、単一のコンタクトレンズとある量のコンタクトレンズ溶液とを収納するために使用することに適合したものとなっている。しかしながら、本発明は、複数のコンタクトレンズおよびそのための量のコンタクトレンズ溶液を収納するために使用することができる。本発明の更なる特徴および利点は、添付の図面のみを参照する例証により下記に与えられる本発明の例示的実施形態の詳細な説明を読むことによって、より明確になるであろう。
【００１０】
図１，２および３を参照すると、コンタクトレンズ容器１０には、第一のシェル部材１２、第二のシェル部材１４、楕円形状のベース１６および半楕円形状のスポンジ部材１８が含まれる。シェル部材１２，１４、ベース１６およびスポンジ部材１８の機能は、以下に説明される。シェル部材１２には、半楕円形状本体２０および本体２０から放射状に広がる半楕円形状のタブ２２が含まれ、それによって、ボウリングピン形状が形成される。同様に、シェル部材１４には、半楕円形状本体２４および本体２４から放射状に広がる半楕円形状のタブ２６が含まれ、それによってボウリングピン形状が形成される。シェル部材１２，１４は、互いに同一のサイズと形状とを有することが好ましい。タブ２２，２６は、シェル部材１２，１４が互いに付着しているときに互いに隣り合って並ぶ。このことは後でより詳しく説明する。タブ２２，２６の機能も以下に記述される。
【００１１】
次に図３を参照すると、シェル部材１２の本体２０には、半楕円形状の凹状空洞部２８、および、本体２０の周辺部に広がる環状フランジ３０が含まれる。同様に、シェル部材１４の本体２４には、半楕円形状の凹状空洞部３２、および、空洞部３２の周辺部に広がる環状のフランジ３４が含まれる。シェル部材１２，１４は、フランジ３０，３４で、好ましくはヒートシールによって、互いに取り外し可能に付着されている。あるいは、シェル部材１２，１４をフランジ３０，３４で互いに付着させるのに、接着剤、誘導シーリングまたは音波溶接等の他の付着手段も利用し得る。コンタクトレンズ溶液が容器１０からなくなったり蒸発したりするのを防止し、デブリおよびほこりの粒子等の異物による中身の汚染を防止するため、フランジ３０，３４の間に不浸透性のシール（図示せず）が形成される。
【００１２】
次に、図１および図３を参照すると、シェル部材１２の本体２４には、透明な円形の窓３６がさらに含まれる。窓３６の機能は以下に記述される。代替的構造では、容器１０が窓３６を要しない。
【００１３】
図１，２および４を参照すると、シェル部材１２のタブ２２には、円形の穴３８およびこの穴３８を取り囲む複数の円形の隆起４０が含まれる。隆起４０のそれぞれは、タブ２２の外部表面４２から突き出る。同様に、シェル部材１４のタブ２６には、円形の穴４４およびこの穴４４を取り囲む複数の円形の隆起４６が含まれる。隆起４６のそれぞれは、タブ２６の外部表面４８から突き出る。タブ２２，２６が互いに隣り合って並ぶとき、穴３８，４４が互いに合致することが好ましい。同様に、タブ２２，２６が互いに隣り合って並ぶとき、隆起４０のパターンが隆起４６のパターンと合致することが好ましい。穴３８，４４および隆起４０，４６の機能は、以下に記述される。代替的構造では、本容器が、穴３８，４４および／または隆起４０，４６を要しない。
【００１４】
次に、図４を参照すると、タブ２２には、一対の弧状の、凸状バンド５０，５２が、それぞれ、タブ２２の内部表面５４を横切って横方向に延在している。タブ２６には、一対の弧状の凹溝５６，５８が、それぞれ、タブ２６の内部表面６０を横切って横方向に延在している。バンド５０，５２および溝５６，５８の機能は、以下に記述される。バンド５０および溝５６は、タブ２０，２６が互いに隣り合って並ぶとき、互いにインターロックするようなサイズ、形状および位置になっている。同様に、バンド５２および溝５８は、タブ２０，２６が互いに隣り合って並ぶとき、互いにインターロックするようなサイズ、形状および位置になっている。バンド５０および溝５６は、ヒートシールによってインターロックされた構成で維持されることが好ましい。同様に、バンド５２および溝５８は、ヒートシールによってインターロックされた構成で維持される。あるいは、他の付着手段、例えば接着剤、誘導シーリングまたは音波溶接、も使用し得る。タブ２２は二つのバンド５０，５２を含むことが好ましいが、２より大きい数または２より小さい数であってもよい。同様に、タブ２６は二つの溝５６，５８を含むことが好ましいが、２より大きい数または２より小さい数であってもよい。代替的構造では、本容器１０が、バンド５０，５２および溝５６，５８を要しない。
【００１５】
次に、図１を参照すると、ベース１６は、本体２０の下端６２および本体２４の下端６４の近傍にある空洞部２８，３２の間に位置する。ベース１６は、好ましくはヒートシールによって、本体２０の下端６２および本体２４の下端６４に付着させられる。あるいは、ベース１６を本体２０および本体２４に付着させるために、他の付着手段、例えば接着剤、誘導シーリングまたは音波溶接を利用し得る。コンタクトレンズ溶液が容器１０からなくなったり蒸発したりするのを防止し、異物によるその中身の汚染を防止するため、非浸透性のシール（図示せず）が、ベース１６と本体２０および本体２４との間に形成される。本体２０，２４およびベース１６は、ガセット６６を形成する。ガセット６６の機能については後述する。代替的構造では、本容器１０がベース１６を要せず、本体２０の下端６２が本体２４の下端６４に付着している。
【００１６】
図３および４を参照すると、シェル部材１２，１４が互いに付着しているとき、スポンジ部材１８は空洞部２８，３２の間に位置する。スポンジ部材１８のサイズおよび形状は、スポンジ部材１８を空洞部２８，３２の間にしっかりと固定できるように、空洞部２８，３２のそれぞれのサイズおよび形状と実質的に同一であることが好ましい。スポンジ部材１８のサイズおよび形状により、容器１０の形状、具体的には、シェル部材１２の本体２０のサイズおよび形状、ならびにシェル部材１４の本体２４のサイズおよび形状が維持される点も注目される。スポンジ部材１８の一表面６８は、空洞部２８の内部表面７０に、好ましくは本技術分野で公知の接着剤で、付着させられる（図３参照）。代替的構造では、スポンジ部材１８の表面６８を空洞部２８の内部表面７０に付着させることを要しない。スポンジ部材１８には、その露出面７４に形成された円形の凹部７２が含まれる。凹部７２は、コンタクトレンズ７６を受け入れて収納する。吸収性部材１８は、好ましくは、一つのコンタクトレンズ７６を収納するための単一の凹部７２を含むことが注目される。あるいは、スポンジ部材１８には、複数のコンタクトレンズ７６を収納するための複数の凹部７２が含まれ得る。スポンジ部材１８は、コンタクトレンズ溶液（図示せず）で満たされている。この溶液は、食塩水、水または緩衝水溶液等の、コンタクトレンズを保存し、それによってコンタクトレンズ７６を飽和させておくのに有用な任意の公知の溶液であり得る。凹部７２は、コンタクトレンズ溶液で部分的に満たされていても完全に満たされていてもよい（図示せず）。凹部７２の内部容積は、コンタクトレンズ７６、および、コンタクトレンズ７６（すなわち凸面形状）の意図された形状および柔軟さを維持するために十分なコンタクトレンズ溶液を収納するのに十分であることが好ましいことが留意される。シェル部材１２，１４が互いに付着され、それによってコンタクトレンズ７６がユーザーに視覚的に曝露されるとき、シェル部材１４の窓３６が凹部７２と合致することが好ましい。
【００１７】
シェル部材１２の本体２０、タブ２２および空洞部２８、ならびに、シェル部材１４の本体２４、タブ２６および空洞部３２は、形状がそれぞれ半楕円形であることが好ましいが、そのそれぞれがその他の形状とサイズとからなり得ることも留意すべきである。同様に、スポンジ部材１８の形状は半楕円形であることが好ましいが、その他の形状とサイズとからなることもあり得る。また、スポンジ部材１８の凹部７２およびタブ２０，２６の穴３８，４４は、それぞれ円形の形状が好ましいが、そのそれぞれがその他の形状とサイズとからなることもあり得る。
【００１８】
シェル部材１２，１４およびベース１６は、それぞれ、ホイル／ポリマーのラミネートまたは共押出製品(coextrusion)から作製され、アルミニウム等の金属層、および、金属層をコーティングする、ポリプロピレン等のポリマー層を含んでいることが好ましい。あるいは、シェル部材１２，１４および／またはベース１６は、種々のバリア特性およびシール特性を持ち、ラミネートまたは共押出製品へと形づくられたポリマーの組合せ等の他の材料から作製することもできる。スポンジ部材１８は、メトロニック ゾーム社(Medtronic Xomed, Inc.)が製造しているＭＥＲＯＣＥＬ(登録商標)ブランドポリビニルアルコール（ＰＶＡ）スポンジ等の容器スポンジ材料から作製することが好ましい。あるいは、スポンジ部材１８をその他の材料から作製し得る。
【００１９】
図４を参照すると、容器１０は以下のようにして開けられる。ユーザーは、自分の指または他の手段を使用して、タブ２２，２６を隣り合って並んだ位置から引き離す。タブ２２，２６を引き離すとき、隆起４０，４６により、ユーザーはよりしっかりと把持することができる。次いで、ユーザーは、タブ２２，２６のそれぞれを同時に引っ張り、シェル部材１２，１４を引き剥がし、このようにして、バンド５０，５２と溝５６，５８との間のシール、および、フランジ３０，３４の間のシールを破る。バンド５０，５２と溝５６，５８との間のシールにより、容器１０の不注意による開口が防止されている。シェル部材１２，１４が、ユーザーがこれらを互いから容易に引き剥がせるのに十分な柔軟さを有するものであることが注目される。シェル部材１２，１４の間のシール強さは、ユーザーがこれらを互いから容易に引き剥がせる程十分弱く、容器１０からコンタクトレンズ溶液が蒸発しないように、または、コンタクトレンズ７６およびコンタクトレンズ溶液が異物で汚染されないように、容器１０が液体密封を維持するのに十分な程強いことも注目される。前述のシールが破られ、シェル部材１２，１４が引き離されると、コンタクトレンズ７６が露出し、ユーザーがアクセスできるようになる。窓３６により、容器１０を開ける前に、ユーザーが、コンタクトレンズ７６を、（例えば損傷について）観察し検査することができることが注目される。
【００２０】
図５を参照すると、ガセット６６により、容器１０は自立を維持できるようになり、例えば、水平面７８（例えば小売陳列棚）上に垂直に立てることができる。図６を参照して、穴３８，４４により、容器１０は、ワイヤ−フック−タイプの陳列棚８０または掛け釘−フック−タイプの陳列棚（図示せず）に懸吊できるようになる。代替的構造では、容器１０が穴３８，４４を要せず、その代わりに、他の公知の懸吊手段、例えばフック部材、を利用することができる（図示せず）。
【００２１】
ここで説明した実施形態は単に例示的なものであり、当業者ならば、本発明の精神および範囲から逸脱することなく、多くの変更および修正を施し得ることが理解されよう。このような変更および修正は全て、添付の請求項に定義された本発明の範疇に属することが意図されるものである。
【００２２】
〔実施の態様〕
本発明の好ましい実施態様は以下の通りである。
【００２３】
（１）  コンタクトレンズ容器において、
第一の端部、および第二の端部を有する、第一のシェル部材と、
第一の端部、および第二の端部を有する、第二のシェル部材であって、
前記第一のシェル部材と前記第二のシェル部材との前記第一の端部が、互いに隣り合って並び、かつ、前記第一のシェル部材と前記第二のシェル部材との前記第二の端部が、互いに隣り合って並ぶように、前記第一のシェル部材と前記第二のシェル部材とは、互いに取り外し可能に付着しており、
前記第一のシェル部材と前記第二のシェル部材との前記第一の端部が、前記容器が自立した位置になることを可能とするサイズおよび形状になっている、ガセットを形成している、
第二のシェル部材と、
前記第一のシェル部材と前記第二のシェル部材との間にあり、コンタクトレンズ、および、ある量のコンタクトレンズ溶液を受け入れ収納するように形成された、貯蔵部と、
を備えている、コンタクトレンズ容器。
（２）  実施態様（１）に記載のコンタクトレンズ容器において、
前記第一および第二のシェル部材を互いから引き離すための引き離し手段、
をさらに備える、コンタクトレンズ容器。
（３）  実施態様（２）に記載のコンタクトレンズ容器において、
前記引き離し手段は、
前記第一のシェル部材の前記第二の端部から延びている、第一のタブ、および、
前記第二のシェル部材の前記第二の端部から延びている、第二のタブ、
を備え、
前記第一および第二のタブが、互いに隣り合って並んでいる、コンタクトレンズ容器。
（４）  実施態様（３）に記載のコンタクトレンズ容器において、
前記第一のタブの露出面から突き出た、第一の複数個の隆起、および、
前記第二のタブの露出面から突き出た、第二の複数個の隆起、
をさらに備え、
前記第一および第二の複数個の隆起が、隣り合って並んだ前記タブを手で把持することを可能とするサイズおよび形状になっている、コンタクトレンズ容器。
（５）  実施態様（１）に記載のコンタクトレンズ容器において、
陳列棚から前記容器を懸吊するための懸吊手段(hanging means)、
をさらに備える、コンタクトレンズ容器。
（６）  実施態様（３）に記載のコンタクトレンズ容器において、
懸吊手段であって、
前記第一のタブを通して形成された、第一の開口、および、
前記第二のタブを通して形成され、前記第一の開口と整列した、第二の開口、
を備え、
各前記開口は、陳列棚の掛け釘上に嵌められる、サイズおよび形状になっている、
懸吊手段、
をさらに備える、コンタクトレンズ容器。
（７）  実施態様（６）に記載のコンタクトレンズ容器において、
前記貯蔵部は、内部表面、および前記内部表面に形成された凹部、を備え、
前記凹部は、コンタクトレンズ、および、ある量のコンタクトレンズ溶液を収納し受け入れるサイズおよび形状になっている、コンタクトレンズ容器。
（８）  実施態様（７）に記載のコンタクトレンズ容器において、
前記貯蔵部の前記凹部中に収納されたコンタクトレンズを見るための観察手段、
をさらに備える、コンタクトレンズ容器。
（９）  実施態様（７）に記載のコンタクトレンズ容器において、
前記貯蔵部中に収納された、スポンジ部材、
をさらに備える、コンタクトレンズ容器。
（１０）  実施態様（９）に記載のコンタクトレンズ容器において、
前記スポンジ部材は、コンタクトレンズ、および、ある量のコンタクトレンズ溶液を収納し受け入れるように形作られている、コンタクトレンズ容器。
【００２４】
（１１）  実施態様（９）に記載のコンタクトレンズ容器において、
前記スポンジ部材は、
コンタクトレンズを飽和させるのに十分な量のコンタクトレンズ溶液、および、
コンタクトレンズを受け入れるように形作られた、凹部、
を含む、コンタクトレンズ容器。
（１２）  実施態様（１１）に記載のコンタクトレンズ容器において、
前記スポンジ部材の前記凹部に収納されたコンタクトレンズを見るための観察手段、
をさらに備える、コンタクトレンズ容器。
（１３）  実施態様（１２）に記載のコンタクトレンズ容器において、
前記観察手段は、前記第二のシェル部材の露出面に形成された、窓、を備え、
前記窓は、前記コンタクトレンズを視覚的に露出できるサイズ、形状、および位置になっている、コンタクトレンズ容器。
（１４）  コンタクトレンズ容器において、
第一の端部、および前記第一の端部の反対側にある第二の端部、を有する、第一のシェル部材と、
第一の端部、および第二の端部を有する、第二のシェル部材であって、
前記第一のシェル部材と前記第二のシェル部材とは、互いに取り外し可能に付着しており、
前記第一のシェル部材と前記第二のシェル部材との前記第一の端部が、互いに隣り合って並び、
前記第一のシェル部材と前記第二のシェル部材との前記第二の端部が、互いに隣り合って並んでいる、
第二のシェル部材と、
陳列棚から前記容器を懸吊するための懸吊手段と、
前記第一のシェル部材と前記第二のシェル部材との間にあり、コンタクトレンズ、および、ある量のコンタクトレンズ溶液を受け入れ収納するように形成された、貯蔵部と、
を備える、コンタクトレンズ容器。
（１５）  実施態様（１４）に記載のコンタクトレンズ容器において、
付着した前記第一および第二のシェル部材を互いから引き離すための引き離し手段、
をさらに備える、コンタクトレンズ容器。
（１６）  実施態様（１５）に記載のコンタクトレンズ容器において、
前記引き離し手段は、
前記第一のシェル部材の前記第二の端部から延びている、第一のタブ、および、
前記第二のシェル部材の前記第二の端部から延びている、第二のタブ、
を備え、
前記第一および第二のタブが、互いに隣り合って並んでいる、コンタクトレンズ容器。
（１７）  実施態様（１６）に記載のコンタクトレンズ容器において、
前記第一のタブの露出面から突き出た、第一の複数個の隆起、および、
前記第二のタブの露出面から突き出た、第二の複数個の隆起、
をさらに備え、
前記第一および第二の複数個の隆起が、隣り合って並んだ前記タブを手で把持することを可能とするサイズおよび形状になっている、コンタクトレンズ容器。
（１８）  実施態様（１６）に記載のコンタクトレンズ容器において、
前記懸吊手段は、
前記第一のタブを通して形成された、第一の開口、および、
前記第二のタブを通して形成され、前記第一の開口と整列した、第二の開口、
を備え、
各前記第一および第二の開口は、陳列棚の掛け釘上に嵌められる、サイズおよび形状になっている、コンタクトレンズ容器。
（１９）  実施態様（１８）に記載のコンタクトレンズ容器において、
前記貯蔵部は、内部表面、および前記内部表面に形成された凹部、を備え、
前記凹部は、コンタクトレンズ、および、ある量のコンタクトレンズ溶液を収納し受け入れるサイズおよび形状になっている、コンタクトレンズ容器。
（２０）  実施態様（１９）に記載のコンタクトレンズ容器において、
前記貯蔵部の前記凹部中に収納されたコンタクトレンズを見るための観察手段、
をさらに備える、コンタクトレンズ容器。
【００２５】
（２１）  実施態様（２０）に記載のコンタクトレンズ容器において、
前記貯蔵部中に収納された、スポンジ部材、
をさらに備え、
前記スポンジ部材は、コンタクトレンズ、および、コンタクトレンズを飽和させるのに十分な量のコンタクトレンズ溶液、を受け入れるよう形作られている、コンタクトレンズ容器。
（２２）  実施態様（２１）に記載のコンタクトレンズ容器において、
観察手段、
をさらに備える、コンタクトレンズ容器。
（２３）  実施態様（２２）に記載のコンタクトレンズ容器において、
前記観察手段は、前記第二のシェル部材の露出面に形成された、窓、を備え、
前記窓は、前記コンタクトレンズを視覚的に露出できるサイズ、形状、および位置になっている、コンタクトレンズ容器。
（２４）  コンタクトレンズ容器において、
第一の端部、および第二の端部を有する、第一のシェル部材と、
第一の端部、および第二の端部を有する、第二のシェル部材であって、
前記第一のシェル部材と前記第二のシェル部材との前記第一の端部が、互いに隣り合って並び、かつ、前記第一のシェル部材と前記第二のシェル部材との前記第二の端部が、互いに隣り合って並ぶように、前記第一のシェル部材と前記第二のシェル部材とは、互いに取り外し可能に付着しており、
前記第一のシェル部材と前記第二のシェル部材との前記第一の端部が、前記容器が自立した位置になることを可能とするサイズおよび形状になっている、ガセット、を形成している、
第二のシェル部材と、
前記第一のシェル部材と前記第二のシェル部材との間にあり、コンタクトレンズ、および、ある量のコンタクトレンズ溶液を受け入れ収納するように形成された、貯蔵部と、
前記貯蔵部に収納された前記コンタクトレンズを見るための観察手段と、
を備える、コンタクトレンズ容器。
【図面の簡単な説明】
【００２６】
【図１】本発明の例示的な実施形態に従って作製されたコンタクトレンズ容器の上面斜視図である。
【図２】図１のコンタクトレンズ容器の側立面図である。
【図３】図１に示されるコンタクトレンズ容器の、切断線３−３に沿い、矢印の方向に見た断面図である。
【図４】図１に示されるコンタクトレンズ容器の上面斜視図で、容器で使用される一つのシェル部材が、容器で使用されるもう一つのシェル部材から部分的に引き離されている様子を示している。
【図５】図１に示される複数のコンタクトレンズ容器が、水平の平面上に自立して置かれた様子を示す側立面図である。
【図６】図１に示される複数のコンタクトレンズ容器が、陳列棚から懸吊されている様子を示す正面斜視図である。
【図１】
2008513107.tif 000003
【図２】
2008513107.tif 000004
【図３】
2008513107.tif 000005
【図４】
2008513107.tif 000006
【図５】
2008513107.tif 000007
【図６】
2008513107.tif 000008
【国際調査報告】
2008513107.tif 000009
2008513107.tif 000010